(57)【要約】【課題】  本発明は、聴取するコンテンツの種類に合わせてユーザ所望の音響特性に容易に変更できるようにする。【解決手段】  本発明は、ユーザの頭部装着時に、調整摘み７の操作に応じて閉塞手段２７により開口部２１を閉じることによってバッフル１１の耳当て側とイヤーパッド５とによって生じる音響空間４０の密閉度を高め、発音部１５から出力される低域成分を増加させることができるので、調整摘み７による簡易な操作でユーザ所望の音響特性に変更することができる。【選択図】        図４
2006121318.tif 000002
【特許請求の範囲】
【請求項１】
振動板を有する発音部の耳当て側とその背面側を隔てる板状のバッフルと、
上記発音部を中心として上記バッフルの周囲に取り付けられたイヤーパッドと、
上記バッフルの背面側を覆うように当該バッフルと一体に取り付けられたハウジングと、
上記バッフルの一部で上記耳当て側とその背面側とを貫通させるように設けられた所定形状の開口部と、
上記開口部を開状態又は閉状態に切り替えるため当該開口部に対応した形状でなる閉塞手段と、
上記閉塞手段を上記開状態又は上記閉状態に切り替えるため上記ハウジング又は上記バッフルの外側に設けられた調整摘みと
を具え、
ユーザの頭部装着時に、上記調整摘みの操作に応じて上記閉塞手段により上記開口部を閉じることによって上記バッフルの耳当て側と上記イヤーパッドとによって生じる音響空間の密閉度を高め、上記発音部から出力される低域成分を増加させる
ことを特徴とするヘッドホン装置。
【請求項２】
上記開口部には、当該開口部に対して所定の音響抵抗を持たせるための音響抵抗部材が貼り付けられている
ことを特徴とする請求項１に記載のヘッドホン装置。
【請求項３】
上記開口部は、上記バッフルに対する上記イヤーパッドの取付箇所以外の部分に設けられる
ことを特徴とする請求項１又は請求項２に記載のヘッドホン装置。
【請求項４】
上記バッフルには、上記閉塞手段によって上記開口部が閉じられた場合でも、通気抵抗を任意に設定するための音響抵抗部材が貼り付けられた第２の開口部が設けられている
ことを特徴とする請求項１に記載のヘッドホン装置。
【発明の詳細な説明】
【技術分野】
【０００１】
本発明は、ヘッドホン装置に関し、特に密閉型のヘッドホン装置に適用して好適なものである。
【背景技術】
【０００２】
従来、ヘッドホン装置においては、スピーカユニットの後方に位置するハウジングに音孔を設け、当該音孔を開状態又は閉状態に切り替えることにより、密閉型からオープンエア型へ、又はオープンエア型から密閉型へと当該ヘッドホン装置全体の音質特性を可変するようになされたものがある（例えば、特許文献１参照）。
【特許文献１】特開平3-184499号公報
【０００３】
このようなヘッドホン装置においては、主にＣＤ(Compact Disc)やＭＤ(Mini Disc：商標)等を聴く音楽用に音響特性が予め設定されており、ユーザにとっては当該ヘッドホン装置を介して主にＣＤ等の音楽コンテンツを聴取することが一般的であった。
【発明の開示】
【発明が解決しようとする課題】
【０００４】
ところでかかる構成のヘッドホン装置においては、１台でオープンエア型のヘッドホン装置と密閉型のヘッドホン装置の２台分の音質特性が得られるものの、当該ヘッドホン装置としてはあくまで音楽用に音響特性が設定されていることから、ユーザが例えば映画を鑑賞する際にはヘッドホン装置から出力される効果音等の低域成分が不足していると感じさせてしまうという問題もあった。
【０００５】
また、かかる構成のヘッドホン装置においては、図１０に示すように、音孔を閉状態から開状態に切り換えた場合であっても、スピーカユニットの最低共振周波数である中低域成分（約１００[Hz]）付近でのレベルを増加させることはできるものの、当該最低共振周波数以下である超低域成分（５０[Hz]）付近でのレベルを増加させることはできないという問題があった。
【０００６】
本発明は以上の点を考慮してなされたもので、聴取するコンテンツの種類に応じたユーザ所望の音響特性へ簡易な操作で変更可能なヘッドホン装置を提案しようとするものである。
【課題を解決するための手段】
【０００７】
かかる課題を解決するため本発明においては、振動板を有する発音部の耳当て側とその背面側を隔てる板状のバッフルと、発音部を中心としてバッフルの周囲に取り付けられたイヤーパッドと、バッフルの背面側を覆うように当該バッフルと一体に取り付けられたハウジングと、バッフルの一部で耳当て側とその背面側とを貫通させるように設けられた所定形状の開口部と、当該開口部を開状態又は閉状態に切り替えるため当該開口部に対応した形状でなる閉塞手段と、閉塞手段を開状態又は閉状態に切り替えるためハウジング又はバッフルの外側に設けられた調整摘みとを具え、ユーザの頭部装着時に、調整摘みの操作に応じて閉塞手段により開口部を閉じることによってバッフルの耳当て側とイヤーパッドとによって生じる音響空間の密閉度を高め、発音部から出力される低域成分を増加させることができるので、調整摘みによる簡易な操作でユーザ所望の音響特性に変更することができる。
【発明の効果】
【０００８】
本発明によれば、ユーザの頭部装着時に、調整摘みの操作に応じて閉塞手段により開口部を閉じることによってバッフルの耳当て側とイヤーパッドとによって生じる音響空間の密閉度を高め、発音部から出力される低域成分を増加させることができるので、調整摘みによる簡易な操作でユーザ所望の音響特性に変更し得るヘッドホン装置を実現することができる。
【発明を実施するための最良の形態】
【０００９】
以下、図面について、本発明の一実施の形態を詳述する。
【００１０】
（１）ヘッドホン装置の外観構成
図１（Ａ）、（Ｂ）及び（Ｃ）において、１は全体として本発明のヘッドホン装置を示し、ヘッドバンド２の両サイドには左耳装着部３及び右耳装着部４が設けられており、当該左耳装着部３及び右耳装着部４の相互に向い合った内側部分にはユーザの耳に直接装着させるためのイヤーパッド５及び６が取り付けられている。
【００１１】
この左耳装着部３及び右耳装着部４では、その中央部分に設けられた発音部１５の背面側で音響室を形成するためのハウジング９及び１０と、当該発音部１５を保持すると共に耳当て側とその背面側を隔てる板状のバッフル１１及び１２とが一体に取り付けられた状態で、当該バッフル１１及び１２の耳当て側にイヤーパッド５及び６が取り付けられた構成を有している。
【００１２】
また左耳装着部３及び右耳装着部４には、ハウジング９及び１０における下方の所定位置に、ユーザが音楽を聴くか映画の音声を聴くかによって音楽モードと映画モードとを切り替えるための調整摘み７及び８が設けられている。
【００１３】
従ってヘッドホン装置１では、ユーザの操作によって当該調整摘み７及び８が音楽モードから映画モードへ切り替えられた場合、当該映画モードでは当該音楽モードよりも格段に低音を強調し得るようになされている。
【００１４】
（２）ハウジングの構造
次に、ハウジング９及び１０の構造について説明するが、当該ハウジング９及び１０は左耳用と右耳用の相違しかなく対称形となっているため、ここでは左耳用のハウジング９について説明し、ハウジング１０については説明の便宜上省略する。
【００１５】
図２に示すようにハウジング９は、空洞の内部空間を有し、当該ハウジング９の周側面９Ａの所定位置に設けられたコード穴２１から挿通されたコード２２が内部空間に入り込み、当該コード２２の各信号線がバッフル１１に取り付けられたスピーカユニット２６（図４）に接続される。
【００１６】
またハウジング９は、周側面９Ａの所定位置に音楽モードと映画モードとを切り替えるための調整摘み７が取り付けられており、当該周側面９Ａの外側には当該調整摘み７の摘み部７Ａが僅かに突出し、当該周側面９Ａの内側には当該摘み部７Ａと一体化された棒状でなる押当部７Ｂが突出している。
【００１７】
すなわち調整摘み７の押当部７Ｂは、摘み部７Ａが矢印Ａ又はＢ方向へ回動されたことに連動して周側面９Ａの内側を矢印Ａ又はＢ方向へ移動するようになされている。
【００１８】
（３）バッフルの構造
次にバッフル１１及び１２の構成について説明するが、バッフル１１及び１２についても左耳用と右耳用の相違しかなく対称形となっているため、ここでは左耳用のバッフル１１についてのみ説明し、バッフル１２については説明の便宜上省略する。
【００１９】
図３に示すようにバッフル１１の耳当て側となる表面１１Ａには、そのほぼ中央に、ユーザの耳に対して対峙するように所定角度の傾きを持って形成された振動板保持部１１Ｂを有し、当該振動板保持部１１Ｂのほぼ中央に振動板２０が取り付けられている。
【００２０】
なおバッフル１１の表面１１Ａにおける振動板保持部１１Ｂ以外の領域は、イヤーパッド５が取り付けられた際に覆い隠されてしまい、振動板２０だけがその表面を所定の保護部材（図示せず）により保護された状態で露出するようになされている。
【００２１】
また振動板保持部１１Ｂには、振動板２０を中心としたその周囲部分の下部でイヤーパッド５が取り付けられた際に覆い隠されてしまうことがない位置に略三日月形状でなる開口部２１が形成されていると共に、当該開口部２１には一定の通気抵抗を有するように開口部２１よりも僅かに大きな面積でかつ不織布でなる音響抵抗部材２２がバッフル１１の表面１１Ａ側に貼り付けられている。なお、この音響抵抗部材２２の役割については後述する。
【００２２】
因みに、バッフル１１の表面１１Ａには所定間隔ずつ離れた位置にハウジング９を取り付けるためのハウジング用取付孔２３〜２５が設けられており、当該バッフル１１とハウジング９とがハウジング用取付孔２３〜２５を介して３点でネジ止めされるようになされている。
【００２３】
一方、図４（Ａ）及び（Ｂ）に示すように、バッフル１１の背面１１Ｃには振動板保持部１１Ｂの開口部２１に相当する位置に当該開口部２１よりも僅かに大きく、かつ当該開口部２１と同形状でなるフリップ２７が開口部２１を開状態又は閉状態に切り替えるために取り付けられている。
【００２４】
このフリップ２７は、略三日月形状の閉塞板２７Ａと、当該閉塞板２７Ａを開閉させるための被押当部２７Ｂとが一体に形成されており、当該閉塞板２７Ａと被押当部２７Ｂとの間に設けられた軸２７Ｃを介して閉塞板２７Ａを被押当部２７Ｂと一体に回動することにより、開口部２１を閉状態から開状態へ、若しくは開状態から閉状態へ自在に切り替えることができるようになされている。
【００２５】
被押当部２７Ｂ（図４（Ｂ））は、その形状が所定角度のテーパー状でなり、ハウジング９における調整摘み７の押当部７Ｂと被押当部２７Ｂのテーパー状部分２８とが当接し、調整摘み７の摘み部７Ａがスライド動作する際に当該調整摘み７の押当部７Ｂがテーパー状部分２８を押し付けながら移動することにより、被押当部２７Ｂが次第に倒されていき、それに連動して閉塞板２７Ａが閉状態から開状態へと遷移するようになされている。
【００２６】
なお、被押当部２７Ｂにおいては、テーパー状部分２８の途中に段差２８Ａが設けられており、当該段差２８Ａを調整摘み７の押当部７Ｂが乗り越えた際に、調整摘み７を操作しているユーザにクリック感を認識させると共に、当該段差２８Ａの位置で閉塞板２７Ａを開状態に保持するようになされている。
【００２７】
ところでフリップ２７の閉塞板２７Ａには、軸２７Ｃに取り付けられたバネ２９により開口部２１を閉状態に維持するような付勢力が与えられると共に、閉塞板２７Ａの表面上には柔らかい素材のフエルト地でなり閉塞板２７Ａと同サイズ、同形状の薄いシール３０が貼り付けられている。
【００２８】
一方、バッフル１１の開口部２１を形成している縁部には振動板保持部１１Ｂの裏面から僅かに切り起こした状態のリブ３１が設けられており、バネ２９の付勢力によって閉塞板２７Ａのシール３０がリブ３１に押し付けられた際、当該シール３０がリブ３１に対して押し付けられて僅かに撓み、開口部２１と閉塞板２７Ａとの間の僅かな隙間さえも無くすようになされている。
【００２９】
（４）開閉操作
図５に示すようにヘッドホン装置１は、ハウジング９の周側面９Ａから僅かに突出した調整摘み７の摘み部７Ａが「Ｍｏｖｉｅ」側→「Ｍｕｓｉｃ」側へと操作されると、摘み部７Ａの動きに合わせて押当部７Ｂが被押当部２７Ｂのテーパー状部分２８を押し付けながら移動することになる。
【００３０】
実際上、図６（Ａ）及び（Ｂ）に示すように、ヘッドホン装置１では調整摘み７の摘み部７Ａが「Ｍｏｖｉｅ」側に位置して映画モードに設定されている場合には、フリップ２７の閉塞板２７Ａによって開口部２１が閉じられている。
【００３１】
しかしながらヘッドホン装置１では、当該摘み部７Ａが「Ｍｏｖｉｅ」側から「Ｍｕｓｉｃ」側へと操作されると、押当部７Ｂが被押当部２７Ｂのテーパー状部分２８を押し付けながら移動することにより当該被押当部２７Ｂを下方に押し下げて閉塞板２７Ａを次第に開かせるようになされている。
【００３２】
そしてヘッドホン装置１では、最終的に押当部７Ｂがテーパー状部分２８の段差２８Ａに到達した段階で当該閉塞板２７Ａを開状態に保持し、映画モードから音楽モードへ切り替えることになる。
【００３３】
これとは逆にヘッドホン装置１は、調整摘み７の摘み部７Ａが「Ｍｕｓｉｃ」側→「Ｍｏｖｉｅ」側へと操作されると、押当部７Ｂがテーパー状部分２８に沿ってこれまでとは逆方向へ移動し、段差２８Ａから外れた時点でバネ２９の付勢力により閉塞板２７Ａを強制的に開口部２１に押し当て閉塞板２７Ａを開状態から閉状態へと遷移させるようになされている。
【００３４】
この場合、ヘッドホン装置１がユーザの頭部に装着されたとき、ユーザの耳がイヤーパッド５の中心に位置した状態で当該イヤーパッド５がユーザの耳を覆うことになる。従ってイヤーパッド５及びバッフル１１によって形成される音響空間４０が、映画モードではフリップ２７の閉塞板２７Ａによって開口部２１が閉じられるため音楽モードのときよりも密閉度が格段に高くなる。
【００３５】
なおヘッドホン装置１は、開口部２１のリブ３０とフリップ２７の閉塞板２７Ａのシール３０とによって当該開口部２１と閉塞板２７Ａとの間の僅かな隙間さえも無くすようになされているため、映画モードにおける音響空間４０の密閉度を一段と上げることができる。
【００３６】
ところで振動板２０から出た音の伝わり方には２通りあって、図７（Ａ）及び（Ｂ）に示すように低域成分では中高域成分に比べて波長が長いため直線に近似でき、振動板２０とユーザの耳との距離が短いうえに音響空間４０が密閉されているため当該低域成分が圧力として伝播するのに対し、中高域成分では低域成分よりも波長が短く放射として伝播することが知られている。
【００３７】
従ってヘッドホン装置１は、閉塞板２７Ａによって開口部２１が閉状態にある場合（図６（Ａ））、振動板２０の振動により押し出される空気が開口部２１を介してハウジング１１の内部空間へ逃げてしまうことがなく、当該振動板２０の動きがダイレクトに音の圧力としてユーザの耳に伝達することになるため、当該ユーザには低域成分の増加された音声を聴取させることができる。
【００３８】
具体的には、図８に示すようにヘッドホン装置１では、音楽モードと比較して映画モードにおける低域成分のレベルが約５０[Hz]付近程度で高くなっているのが判る。
【００３９】
ところでヘッドホン装置１は、音楽モードではフリップ２７の閉塞板２７Ａにより開口部２１が塞がれることはないため、低域成分が格段に低下してしまうところ、バッフル１１の表面１１Ａ側から音響抵抗部材２２が開口部２１に貼り付けられているために、低域成分の極端な低下を防止し、低域成分を或る程度確保して音楽モードにおいてバランスの良い音質を維持するようになされている。
【００４０】
（５）動作及び効果
以上の構成において、ヘッドホン装置１はユーザに装着された状態でハウジング９の調整摘み７が操作されて音楽モードから映画モードへ切り替えられると、当該調整摘み７の操作に連動してフリップ２７の閉塞板２７Ａによりバッフル１１の振動板保持部１１Ｂに設けられた開口部２１を塞ぐことになる。
【００４１】
このときヘッドホン装置１は、イヤーパッド５及びバッフル１１の表面１１Ａによって形成される音響空間４０の密閉度が開口部２１の閉状態により一段と高まり、これにより音楽モードに比べて映画モードにおける低域成分を増加させ、映画の音声を聴くのに相応しい最適な音響特性に変更することができる。
【００４２】
このようにヘッドホン装置１は、単なる調整摘み７を「Ｍｕｓｉｃ」側→「Ｍｏｖｉｅ」側へ動かすといった簡単なスライド操作だけで、ユーザが聴取するコンテンツ（音楽又は映画）の種類に合わせた最適な音響特性に切り替えることができるため、従来のように音響特性を変更するためにイコライザー等の外部機器を介して周波数特性を電気的に調整する必要がなくなる。
【００４３】
またヘッドホン装置１では、一定の通気抵抗を持たせて所望の音響抵抗を得るようにした音響抵抗部材２２がバッフル１１の表面１１Ａ側から開口部２１を塞ぐように貼り付けられているため、音楽モードに設定されてフリップ２７の閉塞板２７Ａが開状態にある場合でも、音響空間４０の密閉度を所定レベルに保つことができ、それにより音楽モードであっても低域成分をある程度確保して音楽用に相応しい音響特性を維持することができる。
【００４４】
以上の構成によれば、ヘッドホン装置１は調整摘み７のスライド操作だけでコンテンツの種類に合わせた最適な音響特性に自在に切り替えることができる。
【００４５】
（６）他の実施の形態
なお上述の実施の形態においては、音響抵抗部材２２をバッフル１１の表面１１Ａ側から貼り付けるようにした場合について述べたが、本発明はこれに限らず、バッフル１１の裏面１１Ｃ側から貼り付けるようにしても良い。
【００４６】
また上述の実施の形態においては、振動板保持部１１Ｂの下方に略三日月形状の開口部２１を設けるようにした場合について述べたが、本発明はこれに限らず、振動板保持部１１Ｂの他の位置に矩形状や円形状の開口部２１を設けるようにしても良い。
【００４７】
さらに上述の実施の形態においては、振動板保持部１１Ｂに開口部２１を１個設けるようにした場合について述べたが、本発明はこれに限らず、２個以上設けると共にフリップを設けて開閉可能とするようにしても良い。
【００４８】
さらに上述の実施の形態においては、フリップ２７の閉塞板２７Ａが閉状態のときにバネ２９により付勢力を与えるようにした場合について述べたが、本発明はこれに限らず、フリップ２７の閉塞板２７Ａが開状態のときにばね２９により付勢力を与え、当該付勢力に抗して閉塞板２７Ａを開口部２１に押し付けることにより閉状態にするようにしても良い。
【００４９】
さらに上述の実施の形態においては、振動板保持部１１Ｂに設けた開口部２１をフリップ２７の閉塞板２７Ａによって開閉可能とするようにした場合について述べたが、本発明はこれに限らず、図９に示すように開口部２１とは別に音響抵抗部材５０の貼り付けられた第２の開口部５１を設けるようにしても良い。この場合、第２の開口部５１の大きさ及び音響抵抗部材５０の通気抵抗により、開口部２１だけでは得られなかったような音響特性を得ることができる。
【００５０】
さらに上述の実施の形態においては、閉塞手段としてフリップ２７を用いるようにした場合について述べてが、本発明はこれに限らず、当該閉塞手段としてスライド自在なシャッター等を用いるようにしても良い。
【００５１】
さらに上述の実施の形態においては、コンテンツの種類として音楽と映画を対象とするようにした場合について述べてが、本発明はこれに限らず、ゲームを対象に加えてゲームモードの場合にも開口部２１を閉状態にして効果音等の低域成分を増加するようにしても良い。
【００５２】
さらに上述の実施の形態においては、コンテンツの種類として音楽と映画を対象とするようにした場合について述べてが、本発明はこれに限らず、音楽のジャンルであるポピュラーとジャズを対象としてジャズモードの場合に開口部２１を閉状態にして低域成分を増加するようにしても良い。
【００５３】
さらに上述の実施の形態においては、ハウジング９の周側面９Ａの外側に摘み部７Ａが突出するように調整摘み７を設けるようにした場合について述べてが、本発明はこれに限らず、バッフル１１の周側面から摘み部７Ａが突出するように調整摘み７を設けるようにしても良い。
【産業上の利用可能性】
【００５４】
本発明のヘッドホン装置は、例えば１台のヘッドホン装置でユーザ所望の音響特性に自在に切り替えるための用途に適用することができる。
【図面の簡単な説明】
【００５５】
【図１】ヘッドホン装置の外観構成を示す略線的斜視図である。
【図２】ハウジングの構造を示す略線的斜視図である。
【図３】バッフルの構造（表側）を示す略線的斜視図である。
【図４】バッフルの構造（裏側）を示す略線的斜視図である。
【図５】調整摘みの操作の説明に供する略線図である。
【図６】フリップの開閉状態の説明に供する略線的断面図である。
【図７】音の伝わり方の説明に供する略線図である。
【図８】音響特性の違いの説明に供する略線図である。
【図９】他の実施の形態における開口部を示す略線図である。
【図１０】従来のヘッドホン装置における音孔の開状態及び閉状態での音響特性の相違を示す略線図である。
【符号の説明】
【００５６】
１……ヘッドホン装置、２……ヘッドバンド、３……左耳装着部、４……右耳装着部、５、６……イヤーパッド、７、８……調整摘み、９、１０……ハウジング、１１、１２……バッフル、２０……振動板、２１、５１……開口部、２２、５０……音響抵抗部材、２７……フリップ、２８……段差、４０……音響空間。
【図１】
2006121318.tif 000003
【図２】
2006121318.tif 000004
【図３】
2006121318.tif 000005
【図４】
2006121318.tif 000006
【図５】
2006121318.tif 000007
【図６】
2006121318.tif 000008
【図７】
2006121318.tif 000009
【図８】
2006121318.tif 000010
【図９】
2006121318.tif 000011
【図１０】
2006121318.tif 000012